(57)【要約】【課題】下水道のマンホールの底部に形成される溝等を見栄えよく施工することができ、インバート施工等を効率的に短時間で行うことのできる左官用こてを提供する。【解決手段】底面２ａが凸状の曲面状で、かつ、前部２ｂが幅広で後部２ｃに向かって除々に幅狭に形成されたこて板２と、こて板２の後部２ｃに立設された首部３と、首部３に対して略々垂直方向に延設された柄部４とを備える左官用こて１。左官用こて１をマンホール３１の底部に形成される溝３３等の長手方向に移動させてインバート施工等を行う。柄部４は、その後端部において首部３に固定されることが好ましく、こて板２の両側端部２ｅ、２ｄを上方に向かって曲折させることが好適である。【選択図】  図２
2004360233.tif 000002
【特許請求の範囲】
【請求項１】
底面が凸状の曲面状で、かつ、前部が幅広で後部に向かって除々に幅狭に形成されたこて板と、
該こて板の後部に立設された首部と、
該首部に対して略々垂直方向に延設された柄部とを備えることを特徴とする左官用こて。
【請求項２】
前記柄部は、その後端部において前記首部に固定されることを特徴とする請求項１記載の左官用こて。
【請求項３】
前記こて板の両側端部が、上方に向かって曲折されることを特徴とする請求項１または２記載の左官用こて。
【発明の詳細な説明】
【０００１】
【発明の属する技術分野】
本発明は、左官用こてに関し、特に、下水道のマンホールのインバート施工に好適な左官用こてに関する。
【０００２】
【従来の技術】
近年、下水道のマンホールの底部は、泥だめをなくすようにインバート化が行われている。すなわち、図３及び図４に示すように、マンホール３１の底部にコンクリート３２を打設し、モルタル仕上げによって断面が半円状の溝３３を形成するとともに、溝の両側に傾斜面３４を形成し、下水道管３５内の流れがマンホール３１の底部で滞ることがないように構成されている。
【０００３】
そして、従来、上記下水道のマンホール３１のインバート施工にあたって、上記断面が半円状の溝３３を形成する際には、例えば、図５に示すような左官用こて４１が用いられていた。
【０００４】
この左官用こて４１は、僅かに曲面状に形成されたこて板４２と、こて板４２の略々中央部に立設された首部４３と、首部４３に一体に固定された柄部４４とを備え、曲面状のこて板４２を溝３３の形状に合わせて溝３３の長手方向に往復移動させることによって溝３３を形成していた。
【０００５】
【発明が解決しようとする課題】
しかし、上記従来の左官用こてを用いてインバート施工を行うと、こて板４２を溝３３の長手方向に往復移動させた際に、こて板４２のへり４２ａが表面のモルタルに当接し、溝３３の表面に筋状の痕跡が残り、見栄えが悪くなるという問題があった。
【０００６】
また、マンホール３１の内部は狭隘であるため、上述のような従来使用していた左官用こてを用いて施工を行うと、作業性が悪く、施工に長時間を要するという問題もあった。
【０００７】
そこで、本発明は、上記従来の左官用こてにおける問題点に鑑みてなされたものであって、下水道のマンホールの底部に形成される溝等を見栄えよく施工することができるとともに、インバート施工等を効率的に短時間で行うことのできる左官用こてを提供することを目的とする。
【０００８】
【課題を解決するための手段】
上記目的を達成するため、本発明は、左官用こてであって、底面が凸状の曲面状で、かつ、前部が幅広で後部に向かって除々に幅狭に形成されたこて板と、該こて板の後部に立設された首部と、該首部に対して略々垂直方向に延設された柄部とを備えることを特徴とする。
【０００９】
そして、本発明によれば、こて板の底面が凸状の曲面状に形成されるとともに、前部が幅広で後部に向かって除々に幅狭に形成されているため、左官用こてをマンホールの底部に形成される溝等の長手方向に移動させるだけで、インバート施工等を効率的に短時間で行うことができる。
【００１０】
上記左官用こてにおいて、前記柄部を、その後端部において前記首部に固定することが好ましい。これによって、マンホールの底部等狭隘な場所においても、スムーズに左官用こてを動かすことができ、使い勝手がよく、インバート施工等を効率的に行うことができる。
【００１１】
また、上記左官用こてにおいて、前記こて板の両側端部を上方に向かって曲折することが好ましい。これによって、こて板の両側端部がモルタル等の表面に引っ掛かることがなく、筋状の痕跡を残すことがないため、見栄えのよい仕上げ面を形成することができる。
【００１２】
【発明の実施の形態】
次に、本発明の実施の形態について図面を参照しながら説明する。
【００１３】
図１及び図２は、本発明にかかる左官用こての一実施の形態を示し、この左官用こて１は、底面２ａが凸状の曲面状で、かつ、前部２ｂが幅広で後部２ｃに向かって除々に幅狭に形成されたこて板２と、こて板２の後部２ｃに立設された首部３と、首部３に対して略々垂直方向に延設された柄部４とを備える。
【００１４】
こて板２は、ステンレス鋼等で板状に形成され、上述にように、底面２ａが突出するように曲面状に形成される。また、前部２ｂが幅広に形成され、その側端部２ｄ、２ｅは、図２（ａ）に明示されるように、若干上方に向かって曲折されている。こて板２は、前部２ｂから後部２ｃに向かって除々に幅が狭くなり、図２（ｃ）に示されるように、平面視で略々ちり取り状に形成される。
【００１５】
首部３は、ステンレス鋼等でＬ字状に形成され、下部がこて板２の後部２ｃにかしめによって固定されている。
【００１６】
柄部４は、木製であって、その後端部において首部３にねじ５によって固定され、前方に向かって延設されている。
【００１７】
次に、上記構成を有する左官用こて１の使用方法について説明する。
【００１８】
図４に示すように、マンホール３１の溝３３は、断面が半円形状になるように滑らかに形成する必要があり、この溝３３の半径は、通常、７５ｍｍ、１００ｍｍ、１２５ｍｍと３段階の大きさに分類される。そこで、左官用こて１のこて板２についても、図２（ａ）に示すＲ寸法が、７５ｍｍ、１００ｍｍ、１２５ｍｍと３種類の左官用こて１を用意し、溝３３の半径に対応するＲ寸法を有する左官用こて１を使用する。
【００１９】
溝３３を形成するにあたっては、左官用こて１を溝３３の長手方向（延設方向）に沿って移動させ、モルタルを滑らかな曲面となるように仕上げる。ここで、こて板２の側端部２ｄ、２ｅが上方に向かって曲折されているため、側端部２ｄ、２ｅがモルタルの表面に引っ掛かることがなく、筋状の痕跡を残すことがないため、溝３３の表面を見栄えよく仕上げることができる。また、柄部４が、通常の左官用こてとは異なり、前方に向かって延設されているため、狭いマンホール内においても、スムーズに左官用こて１を動かすことができ、使い勝手がよい。
【００２０】
尚、上記実施の形態においては、本発明にかかる左官用こてを下水道のマンホールのインバート施工に使用した場合について説明したが、インバート施工に限らず、特に、狭隘な場所において比較的小径の溝等を施工する場合に本発明にかかる左官用こてを有効に使用することができる。
【００２１】
また、上記左官用こて１の構成要素であるこて板２、首部３、柄部４については、材質形状等上記実施の形態で示したものに限定されることなく、本発明の趣旨を逸脱しない範囲で適宜変更することができる。
【００２２】
【発明の効果】
以上説明したように、本発明にかかる左官用こてによれば、下水道のマンホールの底部に形成される溝等を見栄えよく施工することができるとともに、インバート施工等を効率的に短時間で行うことが可能となる。
【図面の簡単な説明】
【図１】本発明にかかる左官用こての一実施の形態を示す斜視図である。
【図２】図１の左官用こてを示す図であって、（ａ）は正面図、（ｂ）は側面図、（ｃ）は平面図である。
【図３】従来の下水道のマンホールの内部構成を説明するための一部破断概略斜視図である。
【図４】従来の下水道のマンホールの内部構成を説明するための断面図である。
【図５】インバート施工に用いられる従来の左官用こての一例を示す概略斜視図である。
【符号の説明】
１            左官用こて
２            こて板
２ａ        底面
２ｂ        前部
２ｃ        後部
２ｄ        側端部
２ｅ        側端部
３            首部
４            柄部
５            ねじ
【図１】
2004360233.tif 000003
【図２】
2004360233.tif 000004
【図３】
2004360233.tif 000005
【図４】
2004360233.tif 000006
【図５】
2004360233.tif 000007